(57)【特許請求の範囲】
【請求項１】
魚釣りに用いる釣竿であって、
軸方向の竿元側の一定の範囲で部分的に、外径及び内径が、前記竿元側が拡径したラッパ状の部分と、拡径した竿元側端部内周面に直接に削り掘られたねじ溝とを有するとともに繊維強化樹脂で形成された竿体と、
前記ねじ溝に塗布されたエポキシ系塗料と、
前記ねじ溝に脱着自在に螺合する雄ねじ部分を有する尻栓と
を備えた釣竿。
【請求項２】
前記エポキシ系塗料はエポキシ樹脂をクリア剤で２００〜５００％に希釈したものである、請求項１に記載の釣竿。
【請求項３】
前記エポキシ系塗料を塗布した表面にさらにゴム系塗料が塗布されている、請求項１又は２に記載の釣竿。
【発明の詳細な説明】
【０００１】
【発明の属する技術分野】
本発明は、魚釣りに用いる釣竿を構成する竿体に関する。
【０００２】
【従来の技術】
釣竿を構成する筒状の竿体は、近年その強度と軽量化を図るため、炭素繊維やガラス繊維に合成樹脂を含浸させたシートまたはテープ状の繊維強化樹脂（プリプレグ）から構成される。この竿体は、先細りテーパが施された円筒型の芯材の周面に離型材等を塗布し、その上に圧をかけながらプリプレグを任意数巻回し、これを炉内で焼成して製造される。
【０００３】
ところで、従来の竿体で最も竿元側に位置する元竿の竿元側端部には尻栓と呼ばれる栓部材が脱着自在にはめ込めこまれている。例えば、振出形式の釣竿を分解して個々の竿体とする場合には、この尻栓を元竿から外して穂先側の竿体を元竿の内部に竿元側から出し入れするのである。従来の多くの釣竿は、内周面にねじ山を設けた雌ねじ部材を別途製造した後に元竿の竿元側端部にはめ込んで固定し、ここに尻栓を脱着自在に螺合させるタイプのものが多かった。しかし、このような別途製造した雌ねじ部材を固定するような釣竿は、製造パーツが増加し製造工程も増加することになる。そこで、近年、元竿の竿元側内周面に直接ねじ溝を削り掘って、ここに底栓を螺合させるようなタイプのものも市場に登場している。
【０００４】
【発明が解決しようとする課題】
上述のように、元竿の竿元側端部内周面に直接ねじ山を削り掘って形成した場合、竿体を構成する繊維強化樹脂の繊維の剥離が生じる恐れがある。即ち、一般に多くの竿体は上述のようなプリプレグを焼成して形成されているため、そのような竿体の内周面を削ってねじ溝を形成すると、削った部分から強化繊維の一部が露出し又はこの削った部分で強化繊維が切断され、強化繊維が剥離してしまうような恐れがある。このような強化繊維の剥離は底栓の円滑な脱着を阻害する。
【０００５】
また、ねじ止め式の底栓ではねじの緩みという問題も排除できない。底栓の系の設定や緩み止め用のゴムリングなどを底栓と共に元竿端部に配置しても、緩み止め防止のためには十分とはいえず、さらなる緩み止めの為の工夫が求められる。
本発明の課題は、緩みにくく脱着作業も容易な尻栓を有する釣竿を提供することにある。
【０００６】
【課題を解決するための手段】
発明１の釣竿は、魚釣りに用いる釣竿であって、軸方向の竿元側の一定の範囲で部分的に、外径及び内径が、前記竿元側が拡径したラッパ状の部分と、拡径した竿元側端部内周面に直接に削り掘られたねじ溝とを有するとともに繊維強化樹脂で形成された竿体と、前記ねじ溝に塗布されたエポキシ系塗料と、前記ねじ溝に脱着自在に螺合する雄ねじ部分を有する尻栓とを備えている。
【０００７】
この釣竿では、底栓は、その雄ねじ部分を竿体の竿元側端部内周面のねじ溝に螺合させることで、竿体に脱着自在に装着されている。この竿体のねじ溝は竿体内周面に直接削り掘られたものであり比較的容易にねじ溝を形成可能である。そして、このねじ溝にはエポキシ系塗料が塗布されており、この塗料が竿体の内周面を削って形成した溝から強化繊維が剥離するのを抑えている。なお、竿体内周面にねじ溝が削り掘られており、別段の内周面の荒らし加工などを施すことなくエポキシ樹脂の竿体内周面への付着程度を良好なものとでき、塗布工程も比較的容易である。
【０００８】
発明２の釣竿は、発明１の釣竿であって、エポキシ系塗料はエポキシ樹脂をクリア剤で２００〜５００％に希釈したものである。
このような所定の範囲に希釈した希エポキシ系塗料を塗布することで、ねじ部分への円滑なエポキシ系塗料の塗布が可能となる。また、５００％を超えるような希塗料となると剥離防止のための十分な効果が得難くなる。
【０００９】
発明３の釣竿は、発明１又は２の釣竿であって、エポキシ系塗料を塗布した表面にさらにゴム系塗料が塗布されている。
この釣竿では、エポキシ系塗料の表面に更に塗布されるゴム系塗料がクッションとなり、ここに螺合している底栓の不要な回転を抑えてその緩みを防止する。
【００１０】
【発明の実施の形態】
以下、本発明の一実施形態について図面を参照しつつ説明する。
本発明の一実施形態を採用した釣竿は、図１に示すように、元竿１と、元竿１の穂先側に順次振出形式で連結される、元上竿２，第１中竿３，第２中竿４及び穂先竿５とを有している。これら元竿１〜穂先竿５は炭素繊維またはガラス繊維等に合成樹脂を含浸させたプリプレグから形成される先細り筒状部材であって、第１中竿２〜穂先竿５は穂先側から順次竿元側の竿体の内部に挿入され出し入れ自在である。もっとも、竿体の数は任意に設定するものであり、５本に限定されるものではない。各竿体の製造について詳細に述べれば、これらの各竿体は、炭素繊維やガラス繊維を周方向若しくは軸方向に引き揃えた上でエポキシ系の樹脂をここに含浸させてシート状又はテープ状の素材を形成し、これを芯材に巻回して焼成して製造されたものである。
【００１１】
元竿１は、外周面に形成されリール（図示せず）を脱着自在に装着可能なリールシート６を有し、後に詳しく述べるように、竿元側端部には尻栓１０が脱着自在に装着されている。このリールシート６は別途合成樹脂等で形成されたパイプ状の部材を所定の位置に配置して固定して形成されている。また、元竿１の竿元側端部内周面には雌ねじ部材が配置され、ここに尻栓１０が脱着自在に螺合している。さらに、元竿１の穂先側端部内周面は他の部分に比べてやや小径に設定されて嵌合雌部となっている。
【００１２】
元上竿２は、元竿１の穂先側に連結された先細りテーパが形成された竿体である。竿元側端部外周面に第１嵌合雄部２ａ（図２参照）を有すると共に、穂先側の内周面に第２嵌合雄部２ｂを有している。第２嵌合雄部２ｂは肉盛などによって他の部分よりやや大径化した部分であり、必要に応じてその穂先側に金属リング等が配置されている。そして、それぞれの嵌合雄部を元竿１の穂先側端部内周面の嵌合雌部と嵌着させ、収納状態と延伸状態とに於いて相互に固定可能となっている。また、元上竿２の第２嵌合雄部２ｂより竿元側の外周面と、元上竿２の穂先側端部外周面とには、釣糸ガイド８が固定されている。
【００１３】
第１中竿３〜穂先竿５はそれぞれ順次元上竿２の穂先側に連結される。各竿体の竿元側端部や穂先側端部外周面は相互に嵌合固定可能な嵌合部分として加工されている。また、各竿体の周面には、それぞれの竿体の穂先側端部外周面に固定ガイドが装着されると共に複数のスライドガイドが配置されている。このスライドガイドは周知のものであり、各竿体周面を軸方向に滑動自在に配置され、所定の軸方向位置において竿体の外径と合致して固定可能となっている。
【００１４】
図２に示すように、元竿１の竿元側端部は軸方向の一定の範囲で部分的に外径も内径も拡径したラッパ状の部分となっている。そして、その竿元側端部の内周面にはねじ溝１２が形成されて、ここに底栓１０が脱着自在に装着されており、さらに、ねじ溝１２の穂先側に隣接する元竿１の内部には短筒型のストッパーリング１１が配置されている。このストッパーリング１１は元竿１に固定しても脱着自在としてもよい。
【００１５】
ストッパーリング１１は、軸方向に貫通する短筒型の部材であって、内周面に周方向に間隔を隔てて軸方向に伸びて形成された複数の係止突起を有している。この係止突起の内径は前述の元上竿２の竿元側端部外周面の第１嵌合雄部２ａ部分の外径に合致する。その穂先側においては穂先側ほど大径化する面取りを施してもよい。そして、収納状態において、穂先側からこの係止突起内に元上竿２の竿元側端部が挿入されるとこれと係止突起が嵌着する。
【００１６】
ねじ溝１２は元竿１の竿元側端部内周面に直接に螺旋状に削り掘られた溝である。そして、図３及び図４に詳しく示すように、このねじ溝１２が形成されている元竿１の竿元側端部内周面には、２重に合成樹脂塗料が塗布されて合成樹脂層を形成している。まず、第１層として元竿１の内周面に直接塗布されているのはエポキシ系塗料であり、これがエポキシ樹脂層２１を形成する。詳しくは、このエポキシ系塗料はエポキシ樹脂をクリア剤で２００〜５００％に希釈したものである。さらに、エポキシ樹脂層２１の表面に第２層として、ゴム系樹脂層２２が積層されている。このゴム系樹脂層２２はセノソフト（商品名）などのポリウレタン系ゴムを塗材で希釈したゴム系塗料を塗布して形成される層である。これらの両塗材は、それぞれの樹脂塗材槽に元竿１の竿元側端部を部分的に浸けてディッピングする等の方法によって塗布できる。
【００１７】
底栓１０は、元竿１の竿元側端部を塞ぐ栓であり、頭端部１０ａと頭端部１０ａより小径で周面にねじ山が形成されている雄ねじ部分１０ｂとを有する。この雄ねじ部分１０ｂを上述のねじ溝１２に螺合させることで、底栓１０が元竿１に装着されている。
このような構成の釣竿では、釣りを終えた際には、各竿体上のスライドガイドを穂先側にスライド移動させた上で、各竿体を順次竿元側の竿体の内部に振出形式で収納してコンパクトな状態とする。一方、釣りを行う際には、順次穂先側の竿体を引き出して相互に竿体を連結し、スライドガイドもスライド移動させて固定し、一本の釣竿をして用いることになる。特に、元竿１と元上竿２とにおいては、元上竿２を元竿１の穂先側に引き出した延伸状態と、元上竿２を元竿１内に挿入した収納状態との双方の状態において相互に竿体を固定可能である。そして、釣竿全体の長さを調整しつつ、釣り状況に応じて釣りを行うことが可能となる。
【００１８】
即ち、延伸状態においては、元上竿２の第１嵌合雄部１ａを元竿１の嵌合雌部に嵌着させる。一方、収納状態においては、元上竿２の第２嵌合雄部１ｂを元竿１の嵌合雌部に嵌着させるとともに、第１嵌合雄部１ａをストッパーリング１１に嵌着させる。
このような釣竿で各竿体を分離する場合、元竿１内に順次収納される穂先側の竿体（元上竿２〜穂先竿５）は、順次、元竿１の尻栓１０を外して、竿元側から元竿１内に出し入れすることになる。底栓１０の雄ねじ部分１０ｂが螺合しているねじ溝１２は、元竿１内周面に直接削り掘られたものであってその製造工程も簡易である。そして、このねじ溝１２にはエポキシ系塗料からなる層２１が塗布されており、この層２１が元竿１の内周面を削って形成したねじ溝１２から強化繊維が剥離するのを抑えている。
【００１９】
なお、元竿１の内周面にねじ溝１２が直接削り掘られており、別段の内周面の荒らし加工などを施すことなくエポキシ系樹脂の元竿１の内周面への付着程度も良好なものと為し得る。さらに、この層２１を形成するエポキシ系塗料は、エポキシ系樹脂を所定の範囲に希釈した希エポキシ系塗料であり、ねじ溝１２へ円滑に塗布できる。さらにまた、このねじ溝１２においては、エポキシ系塗料の表面に更にゴム系塗料が塗布されてゴム系樹脂層２２を形成しており、このゴム系樹脂層２２がクッションとなって、ここに螺合する底栓１０の不要な回転を抑え、その緩みを防止する。
【００２０】
［他の実施形態］
（ａ）上記実施形態では、ゴム系塗料を塗布してゴム系樹脂層２２をも形成しているが、これは任意に塗布すれば足りる。
（ｂ）上記実施形態では、元竿１と元上竿２とを延伸状態及び収納状態の何れにおいても相互に固定可能な場合を例示しているが、これに限定されるものではない。即ち、ストッパーリング１１の配備は任意である。
【００２１】
【発明の効果】
本発明の釣竿では、尻栓が緩みにくく尻栓の脱着作業も容易である。
【図面の簡単な説明】
【図１】本発明の一実施形態を採用した中通し竿の全体図。
【図２】図１の元竿１の竿元側の拡大断面図。
【図３】図２のねじ溝１２付近の拡大断面図。
【図４】図３のねじ溝１２付近を更に拡大した断面図。
【符号の説明】
１  元竿
２  元上竿
１０  尻栓
１１  ストッパーリング
１２  ねじ溝
２１  エポキシ系樹脂層
２２  ゴム系樹脂層
【図１】
0003949467.tif 000002
【図２】
0003949467.tif 000003
【図３】
0003949467.tif 000004
【図４】
0003949467.tif 000005